(57)【要約】【課題】ゲージをフレーム１、縦・横レール３、５のゲージ保持部に載せて角度測定を行うので、パチンコ盤面上の役物、釘等の釘調整・測定上障害となるものから、自在にゲージの先端部を速やかに回避でき、幾つものゲージを使い分ける手間を省けること。【解決手段】一定高さに保たれた、ゲージを載せるフレーム１、摺動自在な縦・横レール３、５からなるゲージ保持部Ａと、長方形状基板２７とその片面又は両面端部に直角に突設した支持脚１３からのゲージまたは束ゲージ２８であるゲージＢから構成されるパチンコ釘角度測定自在ゲージ。【選択図】図１
2006051385.tif 000002
【特許請求の範囲】
【請求項１】
ゲージを載せるフレーム、横・縦レールからなるゲージ保持部ＡとゲージＢとからなるパチンコ釘角度測定自在ゲージであって、
（ｉ）ゲージ保持部Ａが、パチンコ機の上下のパチンコ盤金枠に固定されたフレームと、該フレームに連結した互いに連結された横レール、縦レールとから構成され、且つ横レール、縦レールが摺動自在であり、横レール、縦レールは、パチンコ盤面の釘の高さよりも高い一定高さに保たれている構成であり、
（ｉｉ）ゲージＢが、長方形の板体である基板と、その片面又は両面端部に該基板に直角に突設した支持脚とからなり、しかもゲージＢをゲージ保持部Ａのフレーム、横レール、縦レールのいずれかに載せた時に、ゲージＢを構成する支持脚の長さがパチンコ盤面に当接できる範囲内であることを特徴とする、パチンコ釘角度測定自在ゲージ。
【請求項２】
ゲージＢの支持脚の端部に角度測定冶具を一体に設けたことを特徴とする、請求項１記載のパチンコ釘角度測定自在ゲージ。
【請求項３】
フレーム、各レール間の連結・摺動がフレーム、各レール内の溝に連結金具を嵌め込むことにより、またフレーム、各レールとパチンコ盤面との間隔が、支持脚の長さがパチンコ盤面に当接できる範囲内となるように、支持金具により保たれることを特徴とする、請求項１又は２記載のパチンコ釘角度測定自在ゲージ。
【請求項４】
フレームのパチンコ盤金枠への固定が磁性固定具によることを特徴とする、請求項１〜３のいずれかに記載のパチンコ釘角度測定自在ゲージ。  
【請求項５】
ゲージＢが、請求項１又は２記載のゲージの複数枚を蝶番により纏めたものであることを特徴とする、請求項１〜４のいずれかに記載のパチンコ釘角度測定自在ゲージ。
【発明の詳細な説明】
【技術分野】
【０００１】
本発明は、パチンコ盤面上に打ち込まれた釘の角度を測定及び、調整するためのパチンコ釘角度測定自在ゲージに関するものである。
【背景技術】
【０００２】
パチンコ盤面に打ち込まれた釘は、メーカーから出荷された時点では、バラバラで調整しなければならなかったが、従来は釘師と呼ばれる人間が目と勘を頼りになされていた。
しかし、この勘を養うのには何年もの歳月と努力を要し、それでも正確に釘を修正することは大変難しかった。さらにこの釘が正確に修正されないと、玉が入賞口へ良く入る台と悪い台とのバラつきができ、かつ同じ台でも上手な人には良く入賞させられるが、下手な人では入賞させにくいという、バラつきも出来てしまう。この様なことで、店の出玉管理を大変難しくさせていた。
又、折角高価な台を入れても、その台の性能を十分に発揮させることが出来ずに終わらせてしまうことが多かった。
【発明の開示】
【発明が解決しようとする課題】
【０００３】
本発明は、パチンコ遊技業者及びお客にとって有利なパチンコ台が偏らないように多くのお客様に万遍なく楽しんで頂くように経験の浅い管理者でも短時間で技術を収得することができ、パチンコ機に打ち込まれた釘を誰にでも簡単に測定、修正ができ、パチンコ機の本来の性能を十分発揮されるために開発しようとするものである。
そこで、過去に様々な一般的に角度測定器などと呼ばれるものがあったが、実際の使用に際しては、使いずらいと言わざるを得なかった。なぜなら、パチンコ盤面上に打ち込まれた釘は、一般的には半径１７〜１８ｃｍ位の円周の中に約２００本近く打ち込まれ、その釘の角度は釘々によって同一ではなく、多様化して来ている。
【０００４】
なお、大小様々な役物、チューリップなどと呼ばれる釘の計測上では障害物となる物が多いからである。その中で、実際にパチンコ盤面上に角度測定器と呼ばれるものを接合して、計測すればその接合面自体、物理的にある程度の面積あるいは大きさが必要になる。
ところが、先のように狭い所へは、その当接面が入り込めないのである。従って、一部の釘は測定可能であっても、大部分の釘の測定は不可能と言わざるを得ない。
上記目的を達成する為に、固定式パチンコ修正ゲージ（本出願人実願登録第３０４２６６３号）等を用いて修正を行ってきたが、パチンコ台の機種毎に盤面上のそれぞれの特定部分に於て、さまざまな釘の角度が求められる多様化の中で、従来の技術では２ヶ所しか測定面をもたなかった為、角度の違なるいくつものゲージを作成して、これに当たらなければならなく、又ゲージの突出部がパチンコ盤面上に突設された役物、釘等に当たってしまう為、これを回避するため大小いくつものゲージを使用し、おのずと使いづらいものとなってしまった。
【課題を解決するための手段】
【０００５】
上記課題を解決するために、種々検討した結果、本発明は、ゲージＢをフレーム１、各横レール５、縦レール３からなるゲージ保持部Ａに載せて角度測定を行うこととしたので、パチンコ盤面２４上に突設された役物２３、釘２５等の釘調整・測定上障害となるものから、ゲージの支持脚１３を自在に速やかに回避させ、幾つものゲージを使い分ける手間を省き、多様化するパチンコ釘調整に一層効果を高めることができることを見出し、本発明を完成するに至った。
即ち、本発明は、；
（１）ゲージ１’を載せるフレーム１、横レール５・縦レール３からなるゲージ保持部ＡとゲージＢとからなるパチンコ釘角度測定自在ゲージであって、
（ｉ）ゲージ保持部Ａが、パチンコ機２０の上下のパチンコ盤金枠２１に固定されたフレーム１と、該フレーム１に連結した互いに連結された横レール５、縦レール３とから構成され、且つ横レール５、縦レール３が摺動自在であり、フレーム１、横レール５、縦レール３は、パチンコ盤面２４の釘２５の高さよりも高い一定高さに保たれている構成であり、
（ｉｉ）ゲージＢが、長方形の板体である基板２７と、その片面又は両面端部に該基板２７に直角に突設した支持脚１３とからなり、しかもゲージＢをゲージ保持部Ａのフレーム１、横レール５、縦レール３のいずれかに載せた時に、ゲージＢを構成する支持脚１３の長さがパチンコ盤面２４に当接できる範囲内であるパチンコ釘角度測定ゲージである。
【０００６】
（２）ゲージＢの支持脚１３の端部に角度測定冶具２６を一体に設けた点にも特徴を有する（図１０参照）。
（３）フレーム１、各横レール５、縦レール３間の連結・摺動がフレーム１、各横レール５、縦レール３内の溝〔フレーム溝２、横レール溝６、縦レール溝４）に連結金具７を嵌め込むことにより、またフレーム１、各横レール５、縦レール３とパチンコ盤面２４との間隔が、支持脚１３の長さがパチンコ盤面２４に当接できる範囲内となるように、支持金具８により保たれる点にも特徴を有する。  （４）フレーム１のパチンコ盤金枠２１への固定が磁性固定具９による点にも特徴を有する。
（５）ゲージＢが、上記（１）又は（２）記載のゲージの複数枚を蝶番２８により纏めたものである点にも特徴を有する。
【発明の効果】
【０００７】
（１）パチンコ遊技業者及びお客様が、共に楽しく何処のパチンコ台でもむらや片寄りなく正常にそのパチンコ機本来の性能を十分発揮し、お客様にとって公平に、業者にとってはパチンコ台管理をベストな状態に運営し得るパチンコ釘角度測定自在ゲージを提供する。
（２）パチンコ台の機種毎に盤面上の夫々の特定部分に於て、様々な釘の角度が求められる多様化の中で、希望する様々な角度に釘を手早く、初心者にも簡単に精度の高い測定、調整結果を提供できる。
（３）構造的にもシンプルで、生産コストを控えながら高精度の測定、調整結果が得ることができる。
【発明を実施するための最良の形態】
【０００８】
以下、本発明の実施の形態を図面に基づき詳細に説明する。
図１〜２に於て、パチンコ盤面２４上の金枠２１に磁性固定具９等によって、フレーム１を固定する。この際、フレーム１と金枠２１に隙間が出ないよう磁性固定具９に取り付けてあるナット１９及びネジ１８等にて適度に締めて緩みの出ないようになっている。
図３〜４に於て、上抑え１０、連結扞１２、下抑え１１で構成される連結金具７を、フレーム溝２、縦レール溝４、横レール溝６のいずれかに交叉して嵌込み、下抑え１１で固定され、連結金具７によって縦方向、横方向の各スライド方向へ摺動可能となっている。
図５に於て、ゲージとパチンコ盤面２４との高さを一定にするため支持金具８を設け、横レール５には上抑え１０’、連結扞１２’、下抑え１１’からなる支持金具８を横レール溝６に嵌込み、支持金具８の下抑え１１’によって固定されている。そして、支持扞１７によって横レール溝６内を摺動可能となる。
【０００９】
図６〜１０のゲージを使用するときは、パチンコ盤面２４にパチンコ盤面側当接面１５を当て、角度測定治具２６の釘を当接させる角度測定面１４を利用し、釘２５の測定又は修正を行う。
図６等のようにゲージ本体の基板２７のパチンコ盤当接面１５をパチンコ盤面２４に当て、更に横レール当接面１６を横レール５に当てる。
ゲージの角度測定面具１４によって釘２５の角度調整又は測定を行う。この時に、測定する釘２５によってゲージ本体の基板２７に支障をきたした時は、横レール５又は縦レール３を使い易い位置に移動すれば良く、また横レール５の移動によって支持金具８を構成する支持扞１７が役物２３、釘２５等により支障をきたすようであれば、横レール溝６内を移動させることにより、速やかに釘２５の調整、測定が行える。
【００１０】
図６のゲージを使用すると、２種類の角度にて調整、測定ができる。
図７のゲージを使用すると、４種類の角度にて調整、測定ができる。
図８のゲージを使用すると、４種類の角度にて調整、測定ができ、また蝶番２８によりゲージ枚数を増やすことができる。
図９のゲージを使用すると、８種類の角度にて調整、測定ができ、また蝶番２８によりゲージ枚数を増やすことができるので、多種類の角度にて調整、測定できる。
【００１１】
図１０に於て、ゲージ本体の基板２７に間隔を開けて支持脚１３を設けた４枚の各ゲージを、各ゲージの基板２７の背部に蝶番２８によって各ゲージを纏めたことにより、多数の計測部を付与することが可能となる。
図１０では、纏めたゲージ数は４枚だが、その枚数は何枚でも良く、また組ゲージ２９に於ては纏め具は前記蝶番や粘着テープ等でも良い。
それら連結金具７、支持金具８の固定化の仕方として、連結金具７を構成する上抑え１０と下抑え１１との間、または支持金具８を構成する上抑え１０’と下抑え１１’との間等に、スプリングワッシャー、ゴムワッシャー等を、または夫々の抑えを蝶ネジ化して抵抗を設けると使い勝手が良くなる。
【産業上の利用可能性】
【００１２】
本発明の組物ゲージによれば、熟練を要することなくパチンコ機に打ち込んだ釘の上下及び左右の角度測定及び調整が可能となり、パチンコ業界において店の収益と共に客の満足感を達成することができ、更に、パチンコの遊戯性を高めることができる。
【図面の簡単な説明】
【００１３】
【図１】パチンコ機のパチンコ盤面に固定したゲージ保持部ＡにゲージＢを載せて角度測定・調整を行う状態を示す斜視図である。
【図２】図１のパチンコ盤面に固定したゲージ保持部Ａの詳細な構成を示す拡大模式図である。
【図３】ゲージ保持部Ａの上面図である。
【図４】ゲージ保持部Ａを構成する横レール、縦レール、フレーム間を連結する連結金具の構造を示す斜視図である。
【図５】ゲージ保持部Ａを構成する各レールをパチンコ盤面から一定高さに保つ支持金具の構造を示す斜視図である。
【図６】２種類の角度にて測定・調整できる本発明のゲージを示す斜視図である。
【図７】４種類の角度にて測定・調整できる本発明のゲージを示す斜視図である。
【図８】４種類の角度にて測定・調整できる、４枚のゲージを束ねた本発明のゲージを示す斜視図である。
【図９】８種類の角度にて測定・調整できる、４枚のゲージを束ねた本発明のゲージを示す斜視図である。
【図１０】８種類の角度にて測定・調整できる、４枚のゲージを束ね角度測定冶具を一体に設けた本発明のゲージを示す斜視図である。
【符号の説明】
【００１４】
１  フレーム
１’  ゲージ
２  フレーム溝
３  縦レール
４  縦レール溝
５  横レール
６  横レール溝
７  連結金具
８  支持金具
９  磁性固定金具
１０、１０’上抑え
１１、１１’下抑え
１２、１２’連結扞
１３  支持脚
１４  角度測定面
１５  パチンコ盤当接面
１６  横レール当接面
１７  支持扞
１８  ネジ
１９  ナット
２０  パチンコ機
２１  パチンコ盤金枠
２２  パチンコ蓋
２３  役物
２４  パチンコ盤面
２５  釘
２６  角度測定冶具
２７  基板
２８  蝶番
２９  束ゲージ
【図１】
2006051385.tif 000003
【図２】
2006051385.tif 000004
【図３】
2006051385.tif 000005
【図４】
2006051385.tif 000006
【図５】
2006051385.tif 000007
【図６】
2006051385.tif 000008
【図７】
2006051385.tif 000009
【図８】
2006051385.tif 000010
【図９】
2006051385.tif 000011
【図１０】
2006051385.tif 000012